(57)【要約】【課題】この発明は、コンピュータ側の操作に基づいて、プロジェクタ側で画像の一部を拡大させることができる映像表示システムを提供することを目的とする。【解決手段】コンピュータは、コンピュータに表示されている映像上でズームポイントを指定させるための手段、ズームポイントが指定された状態でズーム指令を入力させるための手段およびズーム指令が入力されたときに、コンピュータに表示されている映像をズームさせることなく、プロジェクタにズームポイントを含むズーム開始コマンドを送信する手段を備えており、プロジェクタは、ズーム開始コマンドを受信すると、それに含まれているズームポイントを中心に映像を拡大するためのズーム動作を行う手段を備えている。【選択図】  図１
2005003723.tif 000002
【特許請求の範囲】
【請求項１】
コンピュータとコンピュータに接続されたプロジェクタとを備え、コンピュータに表示されている映像に対応する映像をプロジェクタ側に送信して、プロジェクタによって投射させるようにした映像表示システムにおいて、
コンピュータは、コンピュータに表示されている映像上でズームポイントを指定させるための手段、ズームポイントが指定された状態でズーム指令を入力させるための手段およびズーム指令が入力されたときに、コンピュータに表示されている映像をズームさせることなく、プロジェクタにズームポイントを含むズーム開始コマンドを送信する手段を備えており、
プロジェクタは、ズーム開始コマンドを受信すると、それに含まれているズームポイントを中心に映像を拡大するためのズーム動作を行う手段を備えていることを特徴とする映像表示システム。
【請求項２】
コンピュータとコンピュータに接続されたプロジェクタとを備え、コンピュータに表示されている映像に対応する映像をプロジェクタ側に送信して、プロジェクタによって投射させるようにした映像表示システムにおいて、
コンピュータは、コンピュータに表示されている映像上でズームポイントを指定させるための手段、ズームポイントが指定された状態でズーム指令を入力させるための手段、ズーム停止指令を入力させるための手段、ズームキャンセル指令を入力させるための手段、ズーム指令が入力されたときに、コンピュータに表示されている映像をズームさせることなく、プロジェクタにズームポイントを含むズーム開始コマンドを送信する手段、ズーム停止指令が入力されたときに、プロジェクタにズーム停止コマンドを送信する手段およびズームキャンセル指令が入力されたときにプロジェクタにズームキャンセルコマンドを送信する手段を備えており、
プロジェクタは、ズーム開始コマンドを受信すると、それに含まれているズームポイントを中心に映像を徐々に拡大するためのズーム動作を行う手段、ズーム処理中にズーム停止コマンドを受信したときにズーム動作を停止してその時点での拡大画像の表示を維持させる手段、およびズーム処理の停止中にズームキャンセル指令を受信したときに、ズーム動作によって拡大された画像を拡大前の元の画像に戻す手段を備えていることを特徴とする映像表示システム。
【発明の詳細な説明】
【０００１】
【発明の属する技術分野】
この発明は、映像表示システムに関する。
【０００２】
【従来の技術】
コンピュータに表示されている映像に対応する映像をプロジェクタ側に送信して、プロジェクタによって投射させる映像表示システムは、プレゼンテーションを行う場合に利用されることが多い。このようなシステムを利用したプレゼンテーションにおいて、表示映像内のある部分を拡大して提示させることも可能である。従来においては、このような機能を実現するには、プロジェクタ側で画像の一部を拡大させる方法と、コンピュータ側で画像の一部を拡大させる方法とがある。
【０００３】
プロジェクタ側で画像の一部を拡大させる場合には、プロジェクタ本体またはプロジェクタ用の専用リモコンを操作することによって行われる。具体的には、プロジェクタ用の専用リモコンでポインタ用カーソルを表示させ、カーソルを拡大させた位置に移動させた後に、当該リモコンからズーム指令を入力させる。
【０００４】
しかしながら、一般にプレゼンテーションはコンピュータを操作しながら行うものであり、その途中でプロジェクタ側を操作することは、プレゼンテーションの流れを阻害し、その操作も複雑となる。
【０００５】
一方、コンピュータ側で画像の一部を拡大させる場合には、そのためのアプリケーションが必要となるとともに、コンピュータ上で画像の一部を拡大するため、その元となる全体画像がコンピュータ上にも表示されなくなり、元となる全体画像を認識できなくなる。
【０００６】
【発明が解決しようとする課題】
この発明は、コンピュータに表示されている映像に対応する映像をプロジェクタ側に送信して、プロジェクタによって投射する映像表示システムにおいて、コンピュータ側の操作に基づいて、プロジェクタ側で画像の一部を拡大させることができる映像表示システムを提供することを目的とする。
【０００７】
【課題を解決するための手段】
請求項１に記載の発明は、コンピュータとコンピュータに接続されたプロジェクタとを備え、コンピュータに表示されている映像に対応する映像をプロジェクタ側に送信して、プロジェクタによって投射させるようにした映像表示システムにおいて、コンピュータは、コンピュータに表示されている映像上でズームポイントを指定させるための手段、ズームポイントが指定された状態でズーム指令を入力させるための手段およびズーム指令が入力されたときに、コンピュータに表示されている映像をズームさせることなく、プロジェクタにズームポイントを含むズーム開始コマンドを送信する手段を備えており、プロジェクタは、ズーム開始コマンドを受信すると、それに含まれているズームポイントを中心に映像を拡大するためのズーム動作を行う手段を備えていることを特徴とする。
【０００８】
請求項２に記載の発明は、コンピュータとコンピュータに接続されたプロジェクタとを備え、コンピュータに表示されている映像に対応する映像をプロジェクタ側に送信して、プロジェクタによって投射させるようにした映像表示システムにおいて、コンピュータは、コンピュータに表示されている映像上でズームポイントを指定させるための手段、ズームポイントが指定された状態でズーム指令を入力させるための手段、ズーム停止指令を入力させるための手段、ズームキャンセル指令を入力させるための手段、ズーム指令が入力されたときに、コンピュータに表示されている映像をズームさせることなく、プロジェクタにズームポイントを含むズーム開始コマンドを送信する手段、ズーム停止指令が入力されたときに、プロジェクタにズーム停止コマンドを送信する手段およびズームキャンセル指令が入力されたときにプロジェクタにズームキャンセルコマンドを送信する手段を備えており、プロジェクタは、ズーム開始コマンドを受信すると、それに含まれているズームポイントを中心に映像を徐々に拡大するためのズーム動作を行う手段、ズーム処理中にズーム停止コマンドを受信したときにズーム動作を停止してその時点での拡大画像の表示を維持させる手段、およびズーム処理の停止中にズームキャンセル指令を受信したときに、ズーム動作によって拡大された画像を拡大前の元の画像に戻す手段を備えていることを特徴とする。
【０００９】
【発明の実施の形態】
以下、図面を参照して、この発明の実施の形態について説明する。
【００１０】
〔１〕第１の実施の形態の説明
図１は、映像表示システムの構成を示している。
【００１１】
映像表示システムは、コンピュータ（ＰＣ）１と、液晶プロジェクタ２とから構成されている。ＰＣ１にはマウス１ａが接続されている。ＰＣ１と液晶プロジェクタ２とは、ＶＧＡケーブル３で接続されているとともに、ＲＳ−２３２Ｃケーブル４で接続されている。
【００１２】
ＰＣ１のモニタに表示される映像に対応する映像信号は、ＶＧＡケーブル４を介して液晶プロジェクタ２に送られる。液晶プロジェクタ２は、ＰＣ１から送られてきた映像信号に対応する映像を、図示しないスクリーン上に投射する。また、ＰＣ１からＲＳ−２３２Ｃケーブル４を介してコマンドが液晶プロジェクタ２に送られる。液晶プロジェクタ２は受信したコマンドに応じた動作を行う。
【００１３】
この実施の形態では、コマンドとして、ズーム開始コマンド”ｚｏｏｍ＿ｓｔａｒｔ  ＿ｘ（値）  ＿ｙ（値）”，ズーム停止コマンド”ｚｏｏｍ＿ｓｔｏｐ”  ，ズームキャンセルコマンド”ｚｏｏｍ＿ｃａｎｃｅｌ”  といった制御コマンドが用意されている。これらのコマンドの意味は、次の通りである。
【００１４】
（１）  ”ｚｏｏｍ＿ｓｔａｒｔ  ＿ｘ  ＿ｙ”
ズーム動作を開始させるコマンドである。  ｘ，ｙ  はズームポイントを示している。このコマンドをプロジェクタ２が受信すると、ズームポイント（ｘ，ｙ）を中心としてズーム動作を行う。ズーム率は連続的に大きくなる。そして、ズーム率が予め設定した上限値に達するか、”ｚｏｏｍ＿ｓｔｏｐ”  コマンドが発行されると、ズーム動作を停止する。
【００１５】
（２）  ”ｚｏｏｍ＿ｓｔｏｐ”
”ｚｏｏｍ＿ｓｔａｒｔ  ＿ｘ  ＿ｙ”  コマンドによって開始されたズーム動作を停止させるコマンドである。
【００１６】
（３）  ”ｚｏｏｍ＿ｃａｎｃｅｌ”
上記ズーム指令を取り消して、ズーム前の状態に戻すためのコマンドである。
【００１７】
ＰＣ１には、液晶プロジェクタ２を制御するためのプログラム（プロジェクタ制御プログラム）が搭載されている。プロジェクタ制御プログラムは、次のような機能を備えている。
【００１８】
（１）マウスカーソルの位置を監視する。
（２）ＰＣ１に対して行われるズーム開始、ズーム停止、ズームキャンセルの各操作を検出する。ズーム開始の操作は、ＰＣ１にズーム開始指令を入力するための操作である。ズーム停止の操作は、ＰＣ１にズーム停止指令を入力するための操作である。ズームキャンセルの操作は、ＰＣ１にズームキャンセル指令を入力するための操作である。
（３）上記各操作（ズーム開始、ズーム停止、ズームキャンセル）の検出に応じて、それに対応したコマンドを、ＲＳ−２３２Ｃケーブル４を介して液晶プロジェクタ２に送信する。なお、ズーム開始コマンドを送信する際には、カーソルの位置もプロジェクタ２に送信する。
【００１９】
映像表示システムの動作について説明する。液晶プロジェクタ２は、ＶＧＡケーブル４を介してＰＣ１から送られてきた映像信号に対応する映像を、図示しないスクリーン上に投射しているものとする。
【００２０】
スクリーン上に投射されている映像の一部を拡大させる場合の動作について説明する。まず、操作者はＰＣ１側のマウス１ａを操作して、ＰＣ１に表示されている映像上で、拡大すべき部分の中心位置あたりにカーソルを移動させる。
【００２１】
次に、操作者はＰＣ１に対してズーム開始操作を行う。ここでは、例えば、キーボードのＣｔｒｌキーの２回連打がズーム開始操作に割り当てられているものとする。Ｃｔｒｌキーが２回連打されると、ＰＣ１はズーム開始コマンド”ｚｏｏｍ＿ｓｔａｒｔ  ＿ｘ  ＿ｙ”を発行し、ＲＳ−２３２Ｃケーブル４を介して液晶プロジェクタ２に送信する。このコマンド中の”ｘ”，”ｙ”としては、マウスカーソルの位置情報が割り当てられる。なお、ＰＣ１に表示されている映像に対しては、ＰＣ１はズーム処理を行わない。
【００２２】
液晶プロジェクタ２は、ズーム開始コマンド”ｚｏｏｍ＿ｓｔａｒｔ  ＿ｘ  ＿ｙ”を受信すると、ＰＣ１側に受取確認コマンドを送信するとともに、ズーム動作を開始する。つまり、画像中の位置（ｘ，ｙ）を中心としてズーム動作を開始する。そして、ズーム率を徐々に大きくしていく。
【００２３】
操作者は、ズーム率が適切と思われる時点で、ＰＣ１に対してズーム停止操作を行う。ここでは、例えば、ズーム動作中でのキーボードのＣｔｒｌキーの１回押し下げがズーム停止操作に割り当てられているものとする。Ｃｔｒｌキーが押し下げられると、ＰＣ１はズーム停止コマンド”ｚｏｏｍ＿ｓｔｏｐ”  を発行し、ＲＳ−２３２Ｃケーブル４を介して液晶プロジェクタ２に送信する。
【００２４】
液晶プロジェクタ２は、ズーム停止コマンド”ｚｏｏｍ＿ｓｔｏｐ”  を受信すると、ＰＣ１側に受取確認コマンドを送信するとともに、ズーム動作を停止し、そのときのズーム率での表示を維持する。
【００２５】
ズーム表示をズーム前の元の表示に戻す際には、操作者はＰＣ１に対してズームキャンセル操作を行う。ここでは、例えば、ズーム停止中でのキーボードのＣｔｒｌキーの２回連打がズームキャンセル操作に割り当てられているものとする。Ｃｔｒｌキーが２回連打されると、ＰＣ１はズームキャンセルコマンド”ｚｏｏｍ＿ｃａｎｃｅｌ”  を発行し、ＲＳ−２３２Ｃケーブル４を介して液晶プロジェクタ２に送信する。
【００２６】
液晶プロジェクタ２は、ズームキャンセルコマンド”ｚｏｏｍ＿ｃａｎｃｅｌ”  を受信すると、ＰＣ１側に受取確認コマンドを送信するとともに、ズーム表示を終了して、元の映像を表示する。
【００２７】
〔２〕変形例の説明
上記第１の実施の形態では、ズーム開始操作にはキーボードのＣｔｒｌキーの２回連打が割り当てられ、ズーム停止操作にはズーム動作中でのキーボードのＣｔｒｌキーの１回押し下げが割り当てられ、ズームキャンセル操作にはズーム停止中でのキーボードのＣｔｒｌキーの２回連打が割り当てられている。
【００２８】
この変形例では、これらの各操作をマウス操作のみで行うことができるようにしている。
【００２９】
図２は、液晶プロジェクタの状態遷移図を示している。
【００３０】
図２において、”Ｎｏｒｍａｌ”  状態は、液晶プロジェクタ２がＰＣ１から送られて来た映像を通常モードでスクリーンに投射している状態を表している。”Ｚｏｏｍｉｎｇ”  状態は、液晶プロジェクタ２がズーム動作中である状態を表している。”Ｚｏｏｍｅｄ”状態は、液晶プロジェクタ２がズーム停止中である状態を表している。
【００３１】
スクリーン上に拡大投射されている映像の一部を拡大させる場合の動作について説明する。液晶プロジェクタ２が”Ｎｏｒｍａｌ”  状態にあるときに、操作者はＰＣ１側のマウス１ａを操作して、ＰＣ１に表示されている画像上で、拡大すべき部分の中心位置あたりにカーソルを移動させる。そして、マウス１ａのボタンを押し下げる。
【００３２】
ＰＣ１は、マウスボタンの押し下げ時間を計時し、マウスボタンの押し下げ時間が、所定時間Ｔ１（この例では１秒）以上になると、ＰＣ１はズーム開始コマンド”ｚｏｏｍ＿ｓｔａｒｔ  ＿ｘ  ＿ｙ”を発行し、ＲＳ−２３２Ｃケーブル４を介して液晶プロジェクタ２に送信する。このコマンド中の”ｘ”，”ｙ”としては、マウスカーソルの位置情報が割り当てられる。なお、ＰＣ１に表示されている映像に対しては、ＰＣ１はズーム処理を行わない。
【００３３】
液晶プロジェクタ２は、ズーム開始コマンド”ｚｏｏｍ＿ｓｔａｒｔ  ＿ｘ  ＿ｙ”を受信すると、”Ｚｏｏｍｉｎｇ”  状態に移行し、ＰＣ１側に受取確認コマンドを送信するとともに、ズーム動作を開始する。つまり、画像中の位置（ｘ，ｙ）を中心としてズームを開始する。そして、ズーム率を徐々に大きくしていく。
【００３４】
操作者は、ズーム率が適切と思われる時点で、マウスボタンの押し下げを止める（マウスボタンをリリースする）。”Ｚｏｏｍｉｎｇ”  状態でマウスボタンがリリースされると、ＰＣ１はズーム停止コマンド”ｚｏｏｍ＿ｓｔｏｐ”  を発行し、ＲＳ−２３２Ｃケーブル４を介して液晶プロジェクタ２に送信する。
【００３５】
液晶プロジェクタ２は、ズーム停止コマンド”ｚｏｏｍ＿ｓｔｏｐ”  を受信すると、”Ｚｏｏｍｅｄ”状態に移行し、ＰＣ１側に受取確認コマンドを送信するとともに、ズーム動作を停止し、そのときのズーム率での表示を維持する。
【００３６】
ズーム表示を元の表示に戻す際には、操作者はマウスボタンを所定時間Ｔ２以上押し下げる。操作者はマウスボタンを押し下げると、ＰＣ１は、マウスボタンの押し下げ時間を計時し、マウスボタンの押し下げ時間が、所定時間Ｔ２（この例では１秒）以上になると、ＰＣ１はズームキャンセルコマンド”ｚｏｏｍ＿ｃａｎｃｅｌ”  を発行し、ＲＳ−２３２Ｃケーブル４を介して液晶プロジェクタ２に送信する。
【００３７】
液晶プロジェクタ２は、ズームキャンセルコマンド”ｚｏｏｍ＿ｃａｎｃｅｌ”  を受信すると、”Ｎｏｒｍａｌ”  状態に移行し、ＰＣ１側に受取確認コマンドを送信するとともに、ズーム表示を終了して、元の映像を表示する。
【００３８】
なお、液晶プロジェクタ２が”Ｎｏｒｍａｌ”  状態である場合にマウスボタンが押し下げられても、所定時間Ｔ１（１秒）が経過する前にマウスボタンがリリースされた場合には、ＰＣ１によってズーム開始コマンド”ｚｏｏｍ＿ｓｔａｒｔ  ＿ｘ  ＿ｙ”が発行されないため、液晶プロジェクタ２は”Ｎｏｒｍａｌ”  状態のままとなる。
【００３９】
また、液晶プロジェクタ２が”Ｚｏｏｍｅｄ”状態である場合にマウスボタンが押し下げられても、所定時間Ｔ２（１秒）が経過する前にマウスボタンがリリースされた場合には、ＰＣ１によってズームキャンセルコマンド”ｚｏｏｍ＿ｃａｎｃｅｌ”  が発行されないため、液晶プロジェクタ２は”Ｚｏｏｍｅｄ”状態のままとなる。
【００４０】
〔３〕第２の実施の形態
第２の実施の形態においても、映像表示シテスムの構成は、第１の実施の形態と同じである。つまり、映像表示シテスムの構成は図１に示されたものと同じである。
【００４１】
まず、第２の実施の形態で用いられるズーム処理について説明する。図３（ａ）に示すように、表示領域１００内の画像内のズームポイントＰを中心として画像に対してズーム処理を行う場合について説明する。最初に、画像全体を１ステップ分だけ拡大する。すると、図３（ｂ）に示すように、拡大画像２００の周辺部は、表示領域１００からはみ出すため、表示されなくなる。次に、図３（ｃ）に示すように、拡大画像２００内のズームポイントＰが表示領域１００の中心側に向かう方向に、拡大画像２００を右下方向に移動させる。この際、拡大画像２００が表示領域１００の内側に食い込まないように移動量を決定する。
【００４２】
次に、拡大画像２００の全体を１ステップ分拡大する。すると、図３（ｄ）に示すように、これによって得られた拡大画像３００の周辺部は、表示領域１００からはみ出すため、表示されなくなる。次に、拡大画像３００内のズームポイントＰが表示領域１００の中心側に向かう方向に、拡大画像２００を右下方向に移動させる。ズーム停止コマンドが発行されるまで、以上のような処理を繰り返す。
【００４３】
第２の実施の形態では、コマンドとして、ズームコマンド”ｚｏｏｍ＿＋”  、スクロールコマンド”ｐａｎ＿ｘ（値）  ＿ｙ（値）”，ズームキャンセルコマンド”ｚｏｏｍ＿ｃａｎｃｅｌ”  といった制御コマンドが用意されている。これらのコマンドの意味は、次の通りである。
【００４４】
（１）  ”ｚｏｏｍ＿＋”
現在の倍率より所定の１ステップ分だけ大きな倍率でズーム動作を行わせるためのコマンドである。このコマンドを液晶プロジェクタ２が受信すると、液晶プロジェクタ２は表示領域内の画像全体を１ステップ分だけ拡大する。画像全体を拡大すると、上述したように、拡大画像の周辺部は表示領域からはみ出す。ＰＣ１は、１ステップ分の拡大率を保持しており、表示領域内の画像全体を１ステップ分拡大したときに、拡大画像の周辺がどれだけ表示領域からはみ出すかを認識することができる。
【００４５】
（２）”ｐａｎ＿ｘ  ＿ｙ”
拡大画像を移動（スクロール）させるためのコマンドであり、ｘ，ｙはそれぞれＸ方向（水平方向）およびＹ方向（垂直方向）の移動量（単位はピクセル）を表している。このコマンドを液晶プロジェクタ２が受信すると、液晶プロジェクタ２は”ｚｏｏｍ＿＋”  コマンドによって拡大した画像を、Ｘ方向に”ｘ”、Ｙ方向に”ｙ”だけ移動させる。
【００４６】
（３）  ”ｚｏｏｍ＿ｃａｎｃｅｌ”
ズーム前の状態に戻すためのコマンドである。
【００４７】
ＰＣ１には、液晶プロジェクタ２を制御するためのプログラム（プロジェクタ制御プログラム）が搭載されている。プロジェクタ制御プログラムは、次のような機能を備えている。
【００４８】
（１）マウスカーソルの位置を監視する。
（２）ＰＣ１に対して行われるズーム開始、ズーム停止、ズームキャンセルの各操作を検出する。
（３）ズーム開始操作を検出したときには、”ｚｏｏｍ＿＋”  コマンドおよび”ｐａｎ＿ｘ  ＿ｙ”コマンドを所定時間間隔で繰り返し発行して送信する。
（４）ズーム停止操作を検出したときには、”ｚｏｏｍ＿＋”  コマンドおよび”ｐａｎ＿ｘ  ＿ｙ”コマンドの発行を停止する。
（５）ズームキャンセル操作を検出したときには、”ｚｏｏｍ＿ｃａｎｃｅｌ”  コマンドを発行して送信する。
【００４９】
映像表示システムの動作について説明する。液晶プロジェクタ２は、ＶＧＡケーブル３を介してＰＣ１から送られてきた映像信号に対応する映像を、図示しないスクリーン上に投射しているものとする。
【００５０】
スクリーン上に投射されている映像の一部を拡大させる場合の動作について説明する。まず、操作者はＰＣ１側のマウスを操作して、ＰＣ１に表示されている画像上で、拡大すべき部分の中心位置あたりにカーソルを移動させる。
【００５１】
次に、操作者はＰＣ１に対してズーム開始操作を行う。ここでは、例えば、キーボードのＣｔｒｌキーの２回連打がズーム開始操作に割り当てられているものとする。Ｃｔｒｌキーが２回連打されると、ＰＣ１はズームコマンド”ｚｏｏｍ＿＋ｙ”および”ｐａｎ＿ｘ  ＿ｙ”コマンドを発行し、ＲＳ−２３２Ｃケーブル４を介して液晶プロジェクタ２に送信する。”ｐａｎ＿ｘ  ＿ｙ”コマンドに含まれる移動量”ｘ”、”ｙ”は、ズームポイントの座標と１ステップ分の拡大率とに基づいて算出される。なお、ＰＣ１に表示されている映像に対しては、ＰＣ１はズーム処理を行わない。
【００５２】
液晶プロジェクタ２は、ズームコマンド”ｚｏｏｍ＿＋”を受信すると、１ステップ分だけ画像全体を拡大する。また、”ｐａｎ＿ｘ  ＿ｙ”コマンドに基づいて、拡大した画像をＸ方向に”ｘ”、Ｙ方向に”ｙ”だけ移動させる。
【００５３】
ＰＣ１は、ズーム停止操作を検出するまで、ズームコマンド”ｚｏｏｍ＿＋ｙ”および”ｐａｎ＿ｘ  ＿ｙ”コマンドを所定時間間隔で発行して、液晶プロジェクタ２に送信する。液晶プロジェクタ２は、ズームコマンド”ｚｏｏｍ＿＋ｙ”および”ｐａｎ＿ｘ  ＿ｙ”コマンドを受信する毎に、上記の拡大処理および移動処理を行う。
【００５４】
操作者は、ズーム率が適切と思われる時点で、ＰＣ１に対してズーム停止操作を行う。ここでは、例えば、ズーム動作中でのキーボードのＣｔｒｌキーの１回押し下げがズーム停止操作に割り当てられているものとする。Ｃｔｒｌキーが押し下げられると、ＰＣ１はズームコマンド”ｚｏｏｍ＿＋ｙ”および”ｐａｎ＿ｘ  ＿ｙ”コマンドの発行を停止する。したがって、液晶プロジェクタ２は、ズーム動作を停止し、そのときのズーム率での表示を維持することになる。
【００５５】
ズーム表示を元の表示に戻す際には、操作者はＰＣ１に対してズームキャンセル操作を行う。ここでは、例えば、ズーム停止中でのキーボードのＣｔｒｌキーの２回連打がズームキャンセル操作に割り当てられているものとする。Ｃｔｒｌキーが２回連打されると、ＰＣ１はズームキャンセルコマンド”ｚｏｏｍ＿ｃａｎｃｅｌ”  を発行し、ＲＳ−２３２Ｃケーブル４を介して液晶プロジェクタ２に送信する。
【００５６】
液晶プロジェクタ２は、ズームキャンセルコマンド”ｚｏｏｍ＿ｃａｎｃｅｌ”  を受信すると、ＰＣ１側に受取確認コマンドを送信するとともに、ズーム表示を終了して、元の映像を表示する。
【００５７】
なお、この発明は、ＰＣ１と液晶プロジェクタ２とが、有線ＬＡＮ、無線ＬＡＮ等のネットワークを介して接続されている映像表示システムにも適用することができる。
【００５８】
【発明の効果】
この発明によれば、コンピュータに表示されている映像に対応する映像をプロジェクタ側に送信して、プロジェクタによって投射する映像表示システムにおいて、コンピュータ側の操作に基づいて、プロジェクタ側で画像の一部を拡大させることができるようになる。
【図面の簡単な説明】
【図１】映像表示システムの構成を示すブロック図である。
【図２】液晶プロジェクタの状態遷移を示す模式図である。
【図３】第２の実施の形態におけるズーム処理を説明するための模式図である。
【符号の説明】
１  コンピュータ（ＰＣ）
２  液晶プロジェクタ
３  ＶＧＡケーブル
４  ＲＳ−２３２Ｃケーブル
【図１】
2005003723.tif 000003
【図２】
2005003723.tif 000004
【図３】
2005003723.tif 000005